(57)【要約】 【課題】  良好な実装が容易な電気部品を提供する。【解決手段】  略四角柱状の電気部品本体１１０の軸方向の中間部に周方向に沿って設けた凹溝状の凹部１１１に、外面が凹部１１１から突出しない状態に中間電極１２０を設ける。電気部品本体１１０の軸方向の両端部に、外面が電気部品本体１１０の周方向における外面より外方に突出する状態に端部電極１３０を設ける。端部電極１３０の外面間を結ぶ直線から中間電極１２０の外面が外方に突出する状態に設ける。プリント基板２００に電気部品１００を実装する際、一対の端部電極１３０がランド２２０に載置する状態で半田付けでき、一方の端部電極１３０がランド２２０から離間することなく端部電極１３０および中間電極１２０を確実に半田付けできる。【選択図】 図２
2005252011.tif 000002
【特許請求の範囲】
【請求項１】
柱状の電気部品本体と、
この電気部品本体の軸方向の両端近傍に設けられた一対の端部電極と、
前記電気部品本体の軸方向の中間部に前記端部電極間に位置して設けられ、外面が前記端部電極の外面間を結ぶ直線から外方に突出しない状態に設けられた中間電極と、
を具備したことを特徴とした電気部品。
【請求項２】
請求項１に記載の電気部品であって、
前記電気部品本体は、それぞれ異なる半導体素子が接続された回路に構成された
ことを特徴とした電気部品。
【請求項３】
複数の柱状の電気部品本体、および、これら電気部品本体を軸方向が略同軸上となる状態に一体的に連結し前記電気部品本体間に介在する中間電極を有した本体部と、
この本体部の軸方向の両端近傍に設けられ、外面が前記中間電極より外方に突出する状態に設けられた端部電極と、
を具備したことを特徴とした電気部品。
【請求項４】
請求項３に記載の電気部品であって、
前記複数の電気部品本体は、前記中間電極にて電気的に接続されて回路を構成する
ことを特徴とした電気部品。
【請求項５】
請求項１ないし請求項４のいずれかに記載の電気部品であって、
前記端部電極は、前記電気部品本体の外面より外方に突出する状態に設けられた
ことを特徴とした電気部品。
【請求項６】
請求項１ないし請求項５のいずれかに記載の電気部品であって、
前記中間電極は、外面が前記電気部品本体の外面と略面一に設けられた
ことを特徴とした電気部品。
【請求項７】
請求項１ないし請求項５のいずれかに記載の電気部品であって、
前記中間電極は、外面が前記電気部品本体の外面に対して凹状に窪んだ状態に設けられた
ことを特徴とした電気部品。
【発明の詳細な説明】
【技術分野】
【０００１】
本発明は、複数の電極を有した電気部品に関する。
【背景技術】
【０００２】
従来、例えばトランジスタやサイリスタなど複数の電極を有した電気部品が利用されている。これら複数の電極を有する電気部品は、プリント基板に半田付けにて実装する際、電極が一連に半田付けされるように、端子が設けられていたり、同一面に電極が臨む状態に設けたりしている（例えば、特許文献１参照）。
【０００３】
この特許文献１に記載のものは、表面実装される電気部品で、導電対材料のボビンのコア部に巻線が巻装されてコイル部を構成している。ボビンのコイル部の両端部に、大きな面積のつば部をそれぞれ設けている。そして、一方のつば部における外側主面に、電極がそれぞれ形成される３つの溝を設け、電極間にマイグレーションの発生を防止させる凸部を形成している。
【０００４】
【特許文献１】特開平５−３２６２６７号公報（第２頁右欄−第３頁右欄、図５）
【発明の開示】
【発明が解決しようとする課題】
【０００５】
しかしながら、上記特許文献１に記載のような従来の構成では、一端部に電極を設けているため、プリント基板に半田付けする際に、転倒せずに電極がプリント基板に対向する状態に保持する必要があり、半田付け作業が煩雑となるおそれがある点が一例として上げられる。
【０００６】
本発明は、上述したような実情などに鑑みて、良好な実装が容易な電気部品を提供することを目的とする。
【課題を解決するための手段】
【０００７】
請求項１に記載の発明は、柱状の電気部品本体と、この電気部品本体の軸方向の両端近傍に設けられた一対の端部電極と、前記電気部品本体の軸方向の中間部に前記端部電極間に位置して設けられ、外面が前記端部電極の外面間を結ぶ直線から外方に突出しない状態に設けられた中間電極と、を具備したことを特徴とした電気部品である。
【０００８】
請求項３に記載の発明は、複数の柱状の電気部品本体、および、これら電気部品本体を軸方向が略同軸上となる状態に一体的に連結し前記電気部品本体間に介在する中間電極を有した本体部と、この本体部の軸方向の両端近傍に設けられ、外面が前記中間電極より外方に突出する状態に設けられた端部電極と、を具備したことを特徴とした電気部品である。
【発明を実施するための最良の形態】
【０００９】
〔第１の実施の形態〕
以下、本発明に係る第１の実施の形態における構成を図面に基づいて説明する。本実施の形態では、例えばトランジスタやサイリスタなどの３端子半導体素子である電気部品について説明するが、これらに限らず３つ以上の複数の端子を有するいずれの電気部品、さらには複数の半導体素子が一体に接続されて回路を構成する集積回路などの単体の電気部品をも対象とすることができる。図１は、第１の実施の形態における電気部品の構成を示す斜視図である。
【００１０】
（電気部品の構造）
図１において、１００は電気部品で、この電気部品１００は、略四角柱状に形成された電気部品本体１１０を有している。この電気部品本体１１０の略中央は周方向に沿って凹溝状の凹部１１１が設けられている。そして、電気部品本体１１０の凹部１１１には、中間電極１２０が設けられている。この中間電極１２０は、外面が凹部１１１から突出することなく例えば導電性部材が凹部１１１内で電気部品本体１１０の外面を被覆する状態に設けられている。
【００１１】
また、電気部品本体１１０の軸方向の両端部には、それぞれ端部電極１３０が設けられている。これら端部電極１３０は、例えば導電性部材が電気部品本体１１０の端部を被覆する状態に、周方向における外面が電気部品本体１１０の外面より外方に突出する状態に設けられている。
【００１２】
そして、電気部品１００は、中間電極１２０が端部電極１３０間に位置し、軸方向に沿って配列する状態に構成されている。また、電気部品１００は、少なくとも電気部品本体１１０における図示しないプリント基板などに搭載される際に半田付けされる軸方向の一側面に対応した面で、中間電極１２０の外面が端部電極１３０の外面間を結ぶ直線から外方に突出しない、すなわち端部電極１３０の外面が中間電極１２０の外面より外方に突出する状態となっている。
【００１３】
（電気部品の作用）
次に、上記実施の形態の電気部品の作用としてプリント基板に取り付ける動作を図面を参照して説明する。図２は、電気部品をプリント基板に半田付けした状態を示す説明図である。図３は、比較例の電気部品をプリント基板に半田付けした状態を示す説明図である。
【００１４】
図２において、２００はプリント基板で、このプリント基板２００は、絶縁性の基板２１０と、この基板２１０の一面に例えば電着などにて設けられ回路を構成する導電性パターンのランド２２０が設けられている。そして、電気部品１００は、例えば図示しない自動半田付け装置に装填され、プリント基板２００の所定の位置に供給される。そして、電気部品１００の一対の端部電極１３０および中間電極１２０がそれぞれプリント基板２００のランド２２０に半田付け、すなわち半田２３０にて電気的かつ機械的に接続される。
【００１５】
ここで、電気部品１００をプリント基板２００に半田付けした状態について、本発明の技術思想を説明するための前提となる電気部品を比較例として、図３に示すようにプリント基板２００に半田付けした状態と比較する。この図３に示す比較例の電気部品３００は、電気部品本体１１０の軸方向の両端部に端部電極１３０が設けられているとともに、電気部品本体１１０の軸方向の中間部に周方向に端部電極１３０より径大に環状に設けられた中間電極３１０とを備えている。この電気部品３００をプリント基板２００に半田付けすると、中間電極３１０が径大であることから、一方の端部電極１３０をランド２２０と半田付けすると、他端の端部電極１３０とランド２２０との距離が長くなる。すなわち、中間電極３１０が端部電極１３０より突出する寸法の略２倍の距離離間することとなる。このため、図３に示すように、中間電極３１０が径大の電気部品３００では、他端側の端部電極１３０とランド２２０との半田付けが不完全、あるいは半田付けできなくなるおそれがある。一方、本実施の形態の電気部品１００では、端部電極１３０が最も外周側に突出する状態であることから、図２に示すように、端部電極１３０がランド２２０と良好に半田付けできる。また、電気部品１００の両端部がプリント基板２００に載置される状態となることから、安定した取付状態が得られる。
【００１６】
（第１の実施の形態の作用効果）
上述したように、上記第１の実施の形態では、柱状の電気部品本体１１０の軸方向の両端部に端部電極１３０をそれぞれ設けるとともに、軸方向の中間部に端部電極１３０間に位置して外面が端部電極１３０の外面間を結ぶ直線から外方に突出しない状態に中間電極１２０を設ける。すなわち、中間電極１２０の外面より端部電極１３０の外面が外方に突出する状態とする。このため、端部電極１３０および中間電極１２０をプリント基板２００に良好に半田付けでき、安定した電気特性を有する回路を構成できる。
【００１７】
そして、端部電極１３０が電気部品本体１１０の外面より外方に突出する状態に径大に設けられている。このため、例えば端部電極１３０をドブ付けにより作製するなど、良好に電気部品１００を半田付けするために中間電極１２０より外面が突出する状態に端部電極１３０を形成することが容易にできる。
【００１８】
また、中間電極１２０が凹部１１１内に臨む状態に設けている。このため、一対の端部電極１３０の外面を結ぶ直線から外面が突出しない状態に中間電極１２０を形成することが容易にできる。さらに、凹部１１１により、電気部品本体１１０の表面に段差が形成されることとなり、この段差を利用して例えば電気部品１００あるいは電気部品本体１１０を保持したり位置決めしたりするなどが容易にでき、端部電極１３０の形成やプリント基板２００への半田付け作業などが容易にでき、製造性の向上も容易に図れる。
【００１９】
〔第２の実施の形態〕
次に、本発明の第２の実施の形態を図面に基づいて説明する。この第２の実施の形態は、上述した第１の実施の形態における電気部品本体１１０を複数の半導体素子にて構成し、１つで回路を構成する集積回路のような電気部品である。なお、第１の実施の形態と同一の構成については、同一の符号を付して説明を省略する。図４は、第２の実施の形態における電気部品の構成を示す斜視図である。図５は、第２の実施の形態における回路構成の一例を示す回路図である。図６は、第２の実施の形態における回路構成の他の例を示す回路図である。
【００２０】
（電気部品の構成）
図４において、４００は電気部品で、この電気部品４００は、略四角柱状の本体部４１０と、この本体部４１０の軸方向の両端部に設けられた端部電極１３０と、を有している。本体部４１０は、複数、例えば２つの半導体素子である電気部品本体４１１と、中間電極４１２と、を有している。電気部品本体４１１は、例えば抵抗やコンデンサまたはダイオードなど、あるいは複数の半導体素子がそれぞれ接続されて構成される回路などが適用できる。この電気部品本体４１１は、略四角柱状に形成され、軸方向の両端部に図示しない電極部が設けられている。
【００２１】
そして、本体部４１０は、複数の電気部品本体４１１を軸方向が同軸上に位置する状態で、導電性部材が対向する電気部品本体４１１の電極部をそれぞれ連続して被覆形成され、端部を連結する状態に中間電極４１２が設けられている。すなわち、中間電極４１２が電気部品本体４１１の端部間に、電極部を電気的かつ機械的に連結して介在する状態に設けられている。具体的には、図５に示すように、一方の電気部品本体４１１として抵抗Ｒ１、他方の電気部品本体４１１として抵抗Ｒ２である場合、抵抗Ｒ１および抵抗Ｒ２が直列に接続して接続点が中間電極４１２となる回路構成に本体部４１０を構成している。
【００２２】
この本体部４１０の軸方向の両端部には、端部電極１３０が電極部を被覆して設けられている。この端部電極１３０は、第１の実施の形態と同様に、外面が中間電極４１２の外面より外方に突出する状態に設けられている。
【００２３】
（第２の実施の形態の作用効果）
上述したように、上記第２の実施の形態では、複数の柱状の電気部品本体４１１を軸方向が略同軸上となる状態に一体的に連結し電気部品本体４１１間に介在する中間電極４１２を有した本体部４１０の軸方向の両端部に、外面が中間電極４１２より外方に突出する状態に端部電極１３０を設けている。このため、第１の実施の形態と同様に、端部電極１３０および中間電極４１２をプリント基板２００に良好に半田付けでき、安定した電気特性を有する回路を構成できる。
【００２４】
また、本体部４１０を複数の電気部品本体４１１にて構成している。このため、例えば図５に示すような回路構成でも、電気部品本体４１１としてそれぞれ半導体素子あるいは半導体素子を適宜接続して回路を構成する素子として中間電極４１２にて接合することで集積回路のように１つの電気部品４００として構成でき、プリント基板への実装が容易にできる。
【００２５】
〔実施形態の変形〕
なお、本発明は、上述した各実施の形態に限定されるものではなく、本発明の目的を達成できる範囲で以下に示される変形をも含むものである。
【００２６】
すなわち、本発明の電気部品としては、上述したように、例えばトランジスタやサイリスタなどの３端子のものに限らず、図６に示すような４端子のものなど、一対の端部電極１３０間に複数の中間電極１２０を有するいずれの構成でも適用できる。すなわち、この図６に示す電気部品５００は、中間電極１２０を複数、例えば２つ設けて構成されたものである。
【００２７】
また、第１の実施の形態において、中間電極１２０を電気部品本体１１０の凹部１１１内に外面が突出しないように設けて説明したが、例えば図７に示すように、電気部品本体１１０の外面と略面一となるように形成してもよい。さらには、第１の実施の形態のように、凹部１１１内に中間電極１２０の外面が突出しないように設けた構成において、端部電極１３０を電気部品本体１１０の外面と略面一となるように設けてもよい。また、第２の実施の形態の中間電極４１２のように、中間電極１２０が電気部品本体１１０の外面より突出していても、端部電極１３０の外周の方が突出する状態となっていればよい。さらには、図６に示すような複数の中間電極１２０を有する構成では、いずれか一方が凹部１１１内に設けられ、いずれか他方が電気部品本体１１０と略面一となるように設けるなど、適宜組み合わせてもよい。
【００２８】
そして、第１の実施の形態のように１つの半導体素子にて電気部品本体１１０を構成したり、第２の実施の形態のように複数の半導体素子にて電気部品本体１１０や本体部４１０を構成するなどしてもよい。すなわち、第２の実施の形態の回路構成として、図５に示す構成に限らず、例えば図８に示すように、抵抗Ｒ１および抵抗Ｒ２の直列回路の接続点にコンデンサＣ１の一端側を接続してコンデンサＣ１の他端側を中間電極４１２として本体部４１０を構成するなどしてもよい。さらには、図６に示すような中間電極１２０を複数備えた構成においては、図９に示すような回路構成など、１つの半導体素子に限らず、集積回路のように回路を構成するものでも適用できる。
【００２９】
また、中間電極１２０，４１２は、環状に設けることなく、例えば図１０や図１１に示す構成のように、周方向の一部が離間する状態に設けてもよい。さらには、中間電極１２０が複数ある構成でも、図１０や図１１に示す構成のようにしてもよい。
【００３０】
さらに、端部電極１３０についても周方向に設けない構成としてもよい。具体的には、例えば図１２に示す電気部品６００のように、プリント基板２００に半田付けされる際の少なくともプリント基板２００に対向する一面において、中間電極６２０が端部電極６３０より突出しない状態に一面側にのみ設けた構成としてもよい。なお、上述した図１や図４、図６などに示す構成のように、他の面においても中間電極１２０が突出しないように設けることで、プリント基板２００への実装する際の向きを特定する必要がなく、より実装作業が容易にできる。
【００３１】
また、端部電極１３０を端部に設けて説明したが、例えば図１３に示すように端部から内側に位置する状態に設けるなど、端部近傍であればよい。さらには、端部電極１３０を周方向に設けて端面には設けない構成とするなどしてもよい。
【００３２】
そして、プリント基板２００に半田付けして説明したが、プリント基板２００に限らず、例えば他の電気部品上に載置する状態に半田付けするなどにも適用できる。
【００３３】
その他、本発明の実施の際の具体的な構造および手順は、本発明の目的を達成できる範囲で他の構造などに適宜変更できる。
【００３４】
〔実施の形態の効果〕
上述したように、柱状の電気部品本体１１０の軸方向の両端部に端部電極１３０をそれぞれ設けるとともに、軸方向の中間部に端部電極１３０間に位置して外面が端部電極１３０の外面間を結ぶ直線から外方に突出しない状態に中間電極１２０を設ける。すなわち、中間電極１２０の外面より端部電極１３０の外面が外方に突出する状態とする。このため、端部電極１３０および中間電極１２０をプリント基板２００に良好に半田付けできる。
【００３５】
また、上述したように、複数の柱状の電気部品本体４１１を軸方向が略同軸上となる状態に一体的に連結し電気部品本体４１１間に介在する中間電極４１２を有した本体部４１０の軸方向の両端部に、外面が中間電極４１２より外方に突出する状態に端部電極１３０を設けている。このため、端部電極１３０および中間電極４１２をプリント基板２００に良好に半田付けできる。
【図面の簡単な説明】
【００３６】
【図１】本発明における第１の実施の形態に係る電気部品を示す斜視図である。
【図２】前記第１の実施の形態における電気部品をプリント基板に半田付けした状態を示す説明図である。
【図３】本発明の技術思想を説明するための前提となる電気部品をプリント基板に半田付けした状態を示す説明図である。
【図４】本発明における第２の実施の形態に係る電気部品を示す斜視図である。
【図５】前記第２の実施の形態における回路構成を示す回路図である。
【図６】本発明における他の実施の形態における電気部品を示す斜視図である。
【図７】本発明におけるさらに他の実施の形態における電気部品を示す斜視図である。
【図８】本発明におけるさらに他の実施の形態における回路構成を示す回路図である。
【図９】本発明におけるさらに他の実施の形態における回路構成を示す回路図である。
【図１０】本発明におけるさらに他の実施の形態における電気部品を示す斜視図である。
【図１１】本発明におけるさらに他の実施の形態における電気部品を示す斜視図である。
【図１２】本発明におけるさらに他の実施の形態における電気部品を示す斜視図である。
【図１３】本発明におけるさらに他の実施の形態における電気部品を示す斜視図である。
【符号の説明】
【００３７】
１００，４００，５００，６００…電気部品
１１０，４１１…電気部品本体
１１１…凹部
１２０，４１２，６２０…中間電極
１３０，６３０…端部電極
４１０…本体部
【図１】
2005252011.tif 000003
【図２】
2005252011.tif 000004
【図３】
2005252011.tif 000005
【図４】
2005252011.tif 000006
【図５】
2005252011.tif 000007
【図６】
2005252011.tif 000008
【図７】
2005252011.tif 000009
【図８】
2005252011.tif 000010
【図９】
2005252011.tif 000011
【図１０】
2005252011.tif 000012
【図１１】
2005252011.tif 000013
【図１２】
2005252011.tif 000014
【図１３】
2005252011.tif 000015